(57)【特許請求の範囲】
【請求項１】
円形断面の一部を互いに重複させて軸方向に平行に連通する多連形トンネルの各隣接トンネルの壁面を覆うために軸方向に直交して順次リング状に組み立てられる外周セグメントと、隣接トンネル間の連通部分を軸方向に仕切ると共に連通部分の上下の外周セグメントを支承するために一組のリング状外周セグメント毎に組み込まれる柱セグメントと、所定数の組の外周セグメントと柱セグメントごとに外周セグメントと組み合わせて隣接トンネル間の通路を構築するための通路構築セグメントとを含む多連形トンネル用セグメントにおいて、
前記外周セグメント（４）、柱セグメント（５）ならびに通路構築セグメント（６，７）を含む全セグメントは、トンネルの軸方向に直交する方向のリング内で隣接する各セグメント間を結合するセグメント継手（８）および軸方向において隣接するリング間の各セグメント間を結合するリング継手（９）を備え、
前記通路構築セグメントは、構築すべき通路の鉛直荷重を受け持たせ得る構造に形成されると共にそれぞれ一組の外周セグメント（４）に組み込まれて構築すべき通路の左右に設置される一対の通路支柱セグメント（６）と、前記一対の通路支柱セグメント（６）の間の一組の外周セグメント（４）に組み込まれて構築すべき通路（１１）の上下に設置されると共に左右一対の通路支柱セグメント（６）に前記リング継手（９）を介して結合される桁セグメント（７）とを備えることを特徴とする多連形トンネル用セグメント。
【請求項２】
円形断面の一部を互いに重複させて軸方向に平行に連通する多連形トンネルの各隣接トンネルの壁面を覆うために軸方向に直交して順次リング状に組み立てられる外周セグメントと、隣接トンネル間の連通部分を軸方向に仕切ると共に連通部分の上下の外周セグメントを支承するために一組のリング状外周セグメント毎に組み込まれる柱セグメントと、所定数の組の外周セグメントと柱セグメントごとに外周セグメントと組み合わせて隣接トンネル間を連通する扉を構築するための扉構築セグメントとを含む多連形トンネル用セグメントにおいて、
前記外周セグメント（１４）、柱セグメント（１５）ならびに扉構築セグメント（１６，１７）を含む全セグメントは、トンネルの軸方向に直交する方向のリング内で隣接する各セグメント間を結合するセグメント継手（１８）および軸方向において隣接するリング間の各セグメント間を結合するリング継手（１９）を備え、
前記扉構築セグメントは、構築すべき扉の鉛直荷重を受け持たせ得る構造に形成されると共にそれぞれ一組の外周セグメント（１４）に組み込まれて構築すべき扉（２１）の扉枠取り付け用空間（２０）の左右に設置される一対の扉支柱セグメント（１６）と、前記一対の扉支柱セグメント（１６）の間の一組の外周セグメント（１４）に組み込まれて構築すべき扉（２１）の扉枠取り付け用空間の上下に設置されると共に左右一対の扉支柱セグメント（１６）に前記リング継手（１９）を介して結合される桁セグメント（１７）とを備えることを特徴とする多連形トンネル用セグメント。
【請求項３】
多連形トンネルを掘進した後、トンネル内壁を覆うリング状の外周セグメントを一組ずつ順次多連形シールド機の後部内において構築すると共に、隣接する多連形トンネルを連接部分において一組のリング状外周セグメント毎に組み込まれる柱セグメントにより仕切る間にトンネルの軸方向の所定位置に隣接トンネル間の通路を構築する方法において、
前記柱セグメント（５）の一つに対応する部分に構築すべき通路（１１）の左右に、それぞれ一組のリング状外周セグメント（４）毎に組み込まれて通路の鉛直荷重を受け持たせ得る構造に形成され、かつトンネルの軸方向に直交して隣接するセグメントと結合するためのセグメント継手（８）ならびに軸方向に隣接するセグメントと結合するためのリング継手（９）を有する一対の通路支柱セグメント（６）と、同じく柱セグメント（５）の一つに対応する部分の通路（１１）の上下位置に配置され、かつセグメント継手（８）ならびにリング継手（９）を有する一対の桁セグメント（７）とでなる通路構築セグメントを用意し、
通路構築位置に達したときにリング状に構築された外周セグメント（４）の一組に、前記一対の通路支柱セグメント（６）の一方を組み込んで同じ組の隣接外周セグメント（４）ならびに前の組の柱セグメント（５）と前記継ぎ手（８），（９）を介して結合し、
次に構築された一組の外周セグメント（４）の通路構築位置の上下に前記一対の桁セグメント（７）を設置して隣接外周セグメント（４）ならびに前の組の通路支柱セグメント（６）と前記継手（８），（９）を介して結合すると共に、支保材（１０）を上下の桁セグメント（７）間に設置し、
次に構築された一組の外周セグメント（４）に前記一対の通路支柱セグメント（６）の他方を組み込んで隣接外周セグメント（４）ならびに前の組の上下の桁セグメント（７）と前記継手（８），（９）を介して結合すると共に、支保材（１０）を撤去し、
それによって、左右の通路支柱セグメントと上下の桁セグメントとにより囲まれかつ左右の通路支柱セグメントに通路の鉛直荷重を受け持たせる構造の通路を構築することを特徴とする多連形トンネルの通路の構築方法。
【請求項４】
多連形トンネルを掘進した後、トンネル内壁を覆うリング状の外周セグメントを一組ずつ順次多連形シールド機の後部内において構築すると共に、隣接する多連形トンネルを連接部分において一組のリング状外周セグメント毎に組み込まれる柱セグメントにより仕切る間にトンネルの軸方向の所定位置に隣接トンネル間の扉を構築する扉の構築方法において、
前記柱セグメント（１５）の一つに対応する部分に扉の扉枠取り付け用空間（２０）を形成すべき位置の左右に、それぞれ一組のリング状外周セグメント（１４）毎に組み込まれて扉の鉛直荷重を受け持たせ得る構造に形成され、かつトンネルの軸方向に直交して隣接するセグメントと結合するためのセグメント継手（１８）ならびに軸方向に隣接するセグメントと結合するためのリング継手（１９）を有する一対の扉支柱セグメント（１６）と、同じく柱セグメント（１５）の一つに対応する部分の扉枠取り付け用空間（２０）の上下位置に配置され、かつセグメント継手（１８）ならびにリング継手（１９）を有する一対の桁セグメント（１７）とでなる通路構築セグメントを用意し、
扉枠取り付け用空間作成位置に達したときにリング状に構築された外周セグメント（１４）の一組に、前記一対の扉支柱セグメント（１６）の一方を組み込んで同じ組の隣接外周セグメント（１４）ならびに前の組の柱セグメント（１５）と前記継手（１８），（１９）を介して結合し、
次に構築された一組の外周セグメント（１４）の扉枠取り付け用空間作成位置の上下に前記一対の桁セグメント（１７）を設置して隣接外周セグメント（１４）ならびに前の組の扉支柱セグメント（１６）に前記継手（１８），（１９）を介して結合し、
次に構築された一組の外周セグメント（１４）に前記一対の扉支柱セグメント（１６）の他方を組み込んで隣接外周セグメント（１４）ならびに前の組の上下の桁セグメント（１７）に前記継手（１８），（１９）を介して結合し、
それによって、左右の扉支柱セグメントと上下の桁セグメントとにより囲まれかつ左右の扉支柱セグメントに扉の鉛直荷重を受け持たせる構造の扉枠取り付け用空間（２０）を形成し、
前記扉枠取り付け用空間に扉枠（２２）を取り付け、この扉枠（２２）に扉体（２３）を組み付けることを特徴とする多連形トンネルの扉の構築方法。
【発明の詳細な説明】
【０００１】
【発明の属する技術分野】
本発明は、二連または三連等の多連形トンネルにおける通路や扉構築用のセグメントと、そのセグメントを用いて行う通路や扉の構築方法に関する。
【０００２】
【従来の技術】
図１８は二連形シールドトンネルに互いに隣接するトンネルへ移動するための避難通路や避難扉を構築する従来技術を示す縦断正面図、図１９は図１８のＨ−Ｈ線縦断側面図である。
【０００３】
これら図１８および図１９に示す従来技術では、二連形シールド機（図示せず）により二連形シールドトンネル４１を掘進する。前記二連形シールドトンネル４１を軸方向に所要距離掘進した後、外周セグメント４３を搬入し、その外周セグメント４３をセグメント継手４５およびリング継手４６を介して結合し、組み立てる。ついで、互いに隣接するトンネル４２，４２間に柱セグメント４４を配置し、各柱セグメント４４の上下部を外周セグメント４３にセグメント継手４５を介して結合する。そして、二連形シールドトンネル４１の軸方向の所定位置に避難通路や避難扉を構築する場合、支保工で仮受けした後、柱セグメント４４を撤去し、仕切り壁や扉枠などを再び構築する。
【０００４】
なお、図１８および図１９中、符号Ｇは地山、符号３９はインバートを示す。
【０００５】
次に、図２０は三連形シールドトンネル間に地下鉄駅部のホームドアを構築する従来技術を示す縦断正面図、図２１は図２０のＩ−Ｉ線縦断側面図である。
【０００６】
これら図２０および図２１に示す従来技術では、三連形シールド機（図示せず）により中央部のトンネル４８と、その両側のトンネル４９，５０とを有する三連形シールドトンネル４７を掘進する。前記三連形シールドトンネル４７を軸方向に所要距離掘進した後、外周セグメント５２を搬入し、その外周セグメント５２を組み立てる。この外周セグメント５２の組み立て時に、リング毎に仮柱５３を組み立て、仮柱５３のうちの数本に１本を本柱５４とし、本柱５４の上下部を桁構造５５とした後、仮柱５３を撤去する。仮柱５３を撤去した後、本柱５４とは別に、新たに仕切り壁５７や扉枠５８を構築し、ホームドア５６を設置する。
【０００７】
なお、図２０および図２１において、符号Ｇは地山、同５１はホーム、同５９はインバート、同６０は建築限界を示す。
【０００８】
【発明が解決しようとする課題】
ところで、例えば二連形シールドトンネル４１の互いに隣接するトンネル４２，４２へ移動するための避難通路や避難扉を設置する従来技術には、次のような課題があった。
【０００９】
すなわち、二連形シールドトンネル４１に従来使用されている柱セグメント４４を、トンネルの構造上の必要性から、ある一定間隔以上離して配置することができない。したがって、柱セグメント４４，４４間の間隔を大きく取ることができず、避難通路や避難扉として規定された断面を確保することが難しいという課題があった。
【００１０】
また、避難通路や避難扉を構築する場合、大規模な支保工で仮受けした後、柱セグメント４４を撤去して仕切り壁や扉枠などを再構築する必要があるため、施工工数が多くなり、コスト高になるという課題もあった。
【００１１】
そして、例えば地下鉄駅部の三連形シールドトンネル４７にホームドア５６を設置する従来技術には、次のような課題があった。
【００１２】
すなわち、三連形シールドトンネル４７の隣接するトンネル４８，４９間およびトンネル４８，５０間の所定位置にホームドア５６を構築するに際しては、前述のごとく、外周セグメント５２の組み立て時に、リング毎に仮柱５３を組み立て、この仮柱５３の数本に１本を本柱５４とし、その本柱５４の上下部を桁構造５５とした後、仮柱５３を撤去するようにしている。
【００１３】
このように、仮柱５３の殆どが撤去されてしまうため、本柱５４には大きな剛性を必要とし、大規模な工事になるという課題があった。
【００１４】
また、仮柱５３の撤去、桁構造５５の構築、本柱５４とは別途に仕切り壁５７や扉枠５８の構築を必要とするため、施工工数が多く、コストが高くなるという課題もあった。
【００１５】
本発明は、上記の事情に鑑みなされたもので、その目的とするところは、セグメント自体の剛性が大きく、かつ使用に際して取り付けも簡単な、多連形トンネルの通路や扉構築用のセグメントを提供することにある。
【００１６】
また、本発明の他の目的は前記本発明にかかるセグメントを用いて、通路や扉として規定された断面を確保でき、かつ通路や扉を少ない施工工数で構築でき、さらにコストダウンを図り得る多連形トンネルの通路や扉の構築方法を提供することにある。
【００１７】
【課題を解決する手段】
前記目的を達成するため、本発明多連形トンネルの通路構築用のセグメントでは、円形断面の一部を互いに重複させて軸方向に平行に連通する多連形トンネルの各隣接トンネルの壁面を覆うために軸方向に直交して順次リング状に組み立てられる外周セグメントと、隣接トンネル間の連通部分を軸方向に仕切ると共に連通部分の上下の外周セグメントを支承するために一組のリング状外周セグメント毎に組み込まれる柱セグメントと、所定数の組の外周セグメントと柱セグメントごとに外周セグメントと組み合わせて隣接トンネル間の通路を構築するための通路構築セグメントとを含む多連形トンネル用セグメントにおいて、前記外周セグメント４、柱セグメント５ならびに通路構築セグメント６，７を含む全セグメントは、トンネルの軸方向に直交する方向のリング内で隣接する各セグメント間を結合するセグメント継手８および軸方向において隣接するリング間の各セグメント間を結合するリング継手９を備え、前記通路構築セグメントは、構築すべき通路の鉛直荷重を受け持たせ得る構造に形成されると共にそれぞれ一組の外周セグメント４に組み込まれて構築すべき通路の左右に設置される一対の通路支柱セグメント６と、前記一対の通路支柱セグメント６の間の一組の外周セグメント４に組み込まれて構築すべき通路１１の上下に設置されると共に左右一対の通路支柱セグメント６に前記リング継手９を介して結合される桁セグメント７とを備えている。
【００１８】
また、前記目的を達成するため、本発明多連形トンネルの扉構築用のセグメントでは、円形断面の一部を互いに重複させて軸方向に平行に連通する多連形トンネルの各隣接トンネルの壁面を覆うために軸方向に直交して順次リング状に組み立てられる外周セグメントと、隣接トンネル間の連通部分を軸方向に仕切ると共に連通部分の上下の外周セグメントを支承するために一組のリング状外周セグメント毎に組み込まれる柱セグメントと、所定数の組の外周セグメントと柱セグメントごとに外周セグメントと組み合わせて隣接トンネル間を連通する扉を構築するための扉構築セグメントとを含む多連形トンネル用セグメントにおいて、 前記外周セグメント１４、柱セグメント１５ならびに扉構築セグメント１６，１７を含む全セグメントは、トンネルの軸方向に直交する方向のリング内で隣接する各セグメント間を結合するセグメント継手１８および軸方向において隣接するリング間の各セグメント間を結合するリング継手１９を備え、前記扉構築セグメントは、構築すべき扉の鉛直荷重を受け持たせ得る構造に形成されると共にそれぞれ一組の外周セグメント１４に組み込まれて構築すべき扉２１の扉枠取り付け用空間２０の左右に設置される一対の扉支柱セグメント１６と、前記一対の扉支柱セグメント１６の間の一組の外周セグメント１４に組み込まれて構築すべき扉２１の扉枠取り付け用空間の上下に設置されると共に左右一対の扉支柱セグメント１６に前記リング継手１９を介して結合される桁セグメント１７とを備えている。
【００１９】
さらに、前記目的を達成するため、本発明多連形トンネルの通路の構築方法では、多連形トンネルを掘進した後、トンネル内壁を覆うリング状の外周セグメントを一組ずつ順次多連形シールド機の後部内において構築すると共に、隣接する多連形トンネルを連接部分において一組のリング状外周セグメント毎に組み込まれる柱セグメントにより仕切る間にトンネルの軸方向の所定位置に隣接トンネル間の通路を構築する方法において、前記柱セグメント５の一つに対応する部分に構築すべき通路１１の左右に、それぞれ一組のリング状外周セグメント４毎に組み込まれて通路の鉛直荷重を受け持たせ得る構造に形成され、かつトンネルの軸方向に直交して隣接するセグメントと結合するためのセグメント継手８ならびに軸方向に隣接するセグメントと結合するためのリング継手９を有する一対の通路支柱セグメント６と、同じく柱セグメント５の一つに対応する部分の通路１１の上下位置に配置され、かつセグメント継手８ならびにリング継手９を有する一対の桁セグメント７とでなる通路構築セグメントを用意し、通路構築位置に達したときにリング状に構築された外周セグメント４の一組に、前記一対の通路支柱セグメント６の一方を組み込んで同じ組の隣接外周セグメント４ならびに前の組の柱セグメント５と前記継ぎ手８，９を介して結合し、次に構築された一組の外周セグメント４の通路構築位置の上下に前記一対の桁セグメント７を設置して隣接外周セグメント４ならびに前の組の通路支柱セグメント６と前記継手８，９を介して結合すると共に、支保材１０を上下の桁セグメント７間に設置し、次に構築された一組の外周セグメント４に前記一対の通路支柱セグメント６の他方を組み込んで隣接外周セグメント４ならびに前の組の上下の桁セグメント７と前記継手８，９を介して結合すると共に、支保材１０を撤去し、それによって、左右の通路支柱セグメントと上下の桁セグメントとにより囲まれかつ左右の通路支柱セグメントに通路の鉛直荷重を受け持たせる構造の通路を構築するようにしている。
【００２０】
そして、前記目的を達成するため、本発明多連形トンネルの扉の構築方法では、多連形トンネルを掘進した後、トンネル内壁を覆うリング状の外周セグメントを一組ずつ順次多連形シールド機の後部内において構築すると共に、隣接する多連形トンネルを連接部分において一組のリング状外周セグメント毎に組み込まれる柱セグメントにより仕切る間にトンネルの軸方向の所定位置に隣接トンネル間の扉を構築する扉の構築方法において、前記柱セグメント１５の一つに対応する部分に扉の扉枠取り付け用空間２０を形成すべき位置の左右に、それぞれ一組のリング状外周セグメント１４毎に組み込まれて扉の鉛直荷重を受け持たせ得る構造に形成され、かつトンネルの軸方向に直交して隣接するセグメントと結合するためのセグメント継手１８ならびに軸方向に隣接するセグメントと結合するためのリング継手１９を有する一対の扉支柱セグメント１６と、同じく柱セグメント１５の一つに対応する部分の扉枠取り付け用空間２０の上下位置に配置され、かつセグメント継手１８ならびにリング継手１９を有する一対の桁セグメント１７とでなる通路構築セグメントを用意し、扉枠取り付け用空間作成位置に達したときにリング状に構築された外周セグメント１４の一組に、前記一対の扉支柱セグメント１６の一方を組み込んで同じ組の隣接外周セグメント１４ならびに前の組の柱セグメント１５と前記継手１８，１９を介して結合し、次に構築された一組の外周セグメント１４の扉枠取り付け用空間作成位置の上下に前記一対の桁セグメント１７を設置して隣接外周セグメント１４ならびに前の組の扉支柱セグメント１６に前記継手１８，１９を介して結合し、次に構築された一組の外周セグメント１４に前記一対の扉支柱セグメント１６の他方を組み込んで隣接外周セグメント１４ならびに前の組の上下の桁セグメント１７に前記継手１８，１９を介して結合し、それによって、左右の扉支柱セグメントと上下の桁セグメントとにより囲まれかつ左右の扉支柱セグメントに扉の鉛直荷重を受け持たせる構造の扉枠取り付け用空間２０を形成し、前記扉枠取り付け用空間に扉枠２２を取り付け、この扉枠２２に扉体２３を組み付けるようにしている。
【００２１】
【発明の実施の形態】
以下、本発明の実施例を図面に基づいて説明する。
【００２２】
図１は避難通路構築用のセグメントの一実施例を示すもので、セグメントの組み立て前の状態を示す斜視図である。
【００２３】
この図１に示す実施例の避難通路構築用のセグメントは、左右の通路支柱セグメント６，６と、上下の桁セグメント７，７とを備えている。
【００２４】
各通路支柱セグメント６は、コンクリート製，鋼製，鋳鉄製またはこれらの合成とすることにより剛性が大きく、構築すべき避難通路に掛かる土圧や水圧による鉛直荷重を受け持たせ得る構造に形成されている。また、各通路支柱セグメント６には隣接するセグメントと結合するためのセグメント継手８と、リング継手９とが設けられている。
【００２５】
各桁セグメント７も、コンクリート製，鋼製，鋳鉄製またはこれらの合成とすることにより剛性が大きく形成され、土圧や水圧により通路に掛かる鉛直荷重を通路支柱セグメント６に伝達し得る構造に形成されている。また、各桁セグメント７にも隣接するセグメントと結合するためのセグメント継手８と、リング継手９とが設けられている。
【００２６】
次に、図２〜図７は前記セグメントを用いて、二連形シールドトンネル間に避難通路を構築する過程を示すもので、図２は二連形シールドトンネルの掘進後、外周セグメントと通常の柱セグメントを取り付けた状態を示す縦断正面図、図３は図２のＡ−Ａ線縦断側面図、図４は避難通路を構築すべき位置に、右側の通路支柱セグメントを取り付けた状態を示す縦断側面図、図５は避難通路を構築すべき位置に、支保材を介して上下の桁セグメントを取り付けた状態を示す縦断側面図、図６は同じく避難通路を構築すべき位置に、左側の通路支柱セグメントを取り付けた状態を示す縦断側面図、図７は上下の桁セグメント間から支保材を撤去した状態を示す縦断側面図である。そして、図８および図９は完成された避難通路の一実施例を示すもので、図８は縦断正面図、図９は図８のＢ−Ｂ線縦断側面図である。
【００２７】
これら図２〜図７に示す避難通路の構築方法では、図２および図３に示すように、まず二連形シールド機１により地山Ｇを掘削し、二連形シールドトンネル２を所要距離掘進する。
【００２８】
前述のごとく、二連形シールドトンネル２を掘進した後、二連形シールド機１の後方で、外周セグメント４および通常の柱セグメント５を組み立て、互いに隣接する外周セグメント４はセグメント継手８およびリング継手９を介して結合し、柱セグメント５は外周セグメント４にセグメント継手８を介して結合して行く。
【００２９】
このように、二連形シールド機１により地山Ｇを掘進し、外周セグメント４や柱セグメント５を組み立てて行き、二連形シールドトンネル２を軸方向に、隣接するトンネル３，３間に避難通路を構築すべき距離まで掘進した後、二連形シールドトンネル２内に通路支柱セグメント６を搬入し、この通路支柱セグメント６を図４に示すごとく、組み立てられている外周セグメント４の内側に組み入れ、同通路支柱セグメント６の上下部を、隣接するセグメントである外周セグメント４にセグメント継手８を介して結合する。
【００３０】
続いて、二連形シールドトンネル２を所要距離掘進し、外周セグメント４を組み立てた後、二連形シールドトンネル２内に桁セグメント７を搬入し、この桁セグメント７を図５に示すごとく、組み立てられている外周セグメント４内において上下位置に組み入れ、この上下の桁セグメント７，７間に支保材１０を設置する。そして、図５において各桁セグメント７の右側を、既に取り付けられている右側の通路支柱セグメント６にリング継手９を介して結合し、上部の桁セグメント７は隣接するセグメントである上部の外周セグメント４に、また下部の桁セグメント７は隣接するセグメントである下部の外周セグメント４に、それぞれセグメント継手８を介して結合する。
【００３１】
さらに二連形シールドトンネル２を所要距離掘進し、外周セグメント４を組み立てた後、二連形シールドトンネル２内に通路支柱セグメント６を搬入し、既に組み立てられている外周セグメント４の内側に組み入れる。そして、図６において前記通路支柱セグメント６の右側を既に取り付けられている上下の桁セグメント７，７にリング継手９を介して結合し、同通路支柱セグメント６の上下部を、隣接するセグメントである前記外周セグメント４にセグメント継手８を介して結合する。
【００３２】
このようにして、図６に示すごとく、四方を左右の通路支柱セグメント６，６と、上下の桁セグメント７，７で囲まれた避難通路１１を形成した後、図６および図７から分かるように、上下の桁セグメント７，７を支えていた支保材１０を撤去することによって、避難通路として規定された断面を確保し、図８および図９に示すごとく、多連形トンネルとしての二連形シールドトンネル２の互いに隣接するトンネル３，３の軸方向の所定位置に、避難通路１１が完成する。
【００３３】
なお、図８および図９において、符号３９はインバートを示し、同４０は建築限界を示す。
【００３４】
以上により、上下の桁セグメント７，７から左右の通路支柱セグメント６，６へ土圧や水圧による鉛直荷重を伝達でき、かつ左右の通路支柱セグメント６，６により前記鉛直荷重を受け持つことが可能な剛性の大きい構造の避難通路１１を構築することができる。したがって、避難通路として規定された断面を容易に確保することができる。
【００３５】
また、この実施例によれば、大規模な支保工で仮受けした後、柱セグメントを撤去し、仕切り壁などを再構築する必要がないため、施工工数を少なくすることができるので、工期を短縮できるし、コストも大幅に削減することができる。
【００３６】
次に、図１０は避難扉構築用のセグメントの一実施例を示すもので、そのセグメントの組み立て前の状態を示す斜視図である。
【００３７】
この図１０に示す実施例の避難扉構築用のセグメントは、左右の扉支柱セグメント１６，１６と、上下の桁セグメント１７，１７とを備えている。
【００３８】
各扉支柱セグメント１６は、コンクリート製，鋼製，鋳鉄製またはこれらの合成とすることにより剛性が大きく、構築すべき避難扉に掛かる鉛直荷重を受け持たせ得る構造に形成されている。また、各扉支柱セグメント１６には隣接するセグメントと結合するためのセグメント継手１８と、リング継手１９とが設けられている。
【００３９】
各桁セグメント１７も、コンクリート製，鋼製，鋳鉄製またはこれらの合成とすることにより剛性が大きく形成されていて、避難扉に掛かる鉛直荷重を扉支柱セグメント１６に伝達し得る構造に形成されている。また、各桁セグメント１７にも隣接するセグメントと結合するためのセグメント継手１８と、リング継手１９とが設けられている。
【００４０】
ついで、図１１および図１２は前記セグメントを用いて、二連形シールドトンネル間に避難扉を構築する方法を示すもので、図１１は構築した避難扉の縦断正面図、図１２は図１１のＣ−Ｃ線縦断側面図である。
【００４１】
これらの図に示す避難扉Ｋ構築方法では、二連形シールド機（図示せず）により地山Ｇを掘削し、二連形シールドトンネル１２を所要距離掘進する。
【００４２】
前記二連形シールドトンネル１２を所要距離掘進した後、二連形シールドトンネル１２内に外周セグメント１４および通常の柱セグメント１５を搬入し、互いに隣接する外周セグメント１４はセグメント継手１８およびリング継手１９を介して結合し、柱セグメント１５は外周セグメント１４にセグメント継手１８を介して結合して行く。
【００４３】
このようにして、二連形シールドトンネル１２を軸方向に、隣接するトンネル１３，１３間に避難扉を構築すべき距離掘進した後、二連形シールドトンネル１２内に扉支柱セグメント１６を搬入し、この扉支柱セグメント１６を、既に組み立てられている外周セグメント１４の内側に組み入れ、同扉支柱セグメント１６の上下部を、隣接するセグメントである外周セグメント１４にセグメント継手１８を介して結合する。
【００４４】
ついで、二連形シールドトンネル１２を所要距離掘進し、外周セグメント１４を組み立てた後、二連形シールドトンネル１２内に桁セグメント１７を搬入し、この桁セグメント１７を図１１および図１２から分かるように、既に組み立てられている外周セグメント１４内において上下位置に組み入れる。そして、上下の桁セグメント１７，１７間に支保材（図示せず）を設置し、図１２において各桁セグメント１７，１７の右側を、既に取り付けられている右側の扉支柱セグメント１６にリング継手１９を介して結合し、上部の桁セグメント１７は上部の外周セグメント１４に、また下部の桁セグメント１７は下部の外周セグメント１４に、それぞれセグメント継手１８を介して結合する。
【００４５】
再び二連形シールドトンネル１２を所要距離掘進し、外周セグメント１４を組み立てた後、二連形シールドトンネル１２内に扉支柱セグメント１６を搬入し、この扉支柱セグメント１６を既に組み立てられている外周セグメント１４の内側に組み入れる。そして、図１２において前記扉支柱セグメント１６の右側を、既に取り付けられている上下の桁セグメント１７，１７にリング継手１９を介して結合し、同扉支柱セグメント１６の上下部を、当該外周セグメント１４にセグメント継手１８を介して結合する。
【００４６】
前述のごとく、上下の桁セグメント１７，１７に、図１２において左側の扉支柱セグメント１６を結合した後、上下の桁セグメント１７，１７間に設置されている支保材を撤去する。
【００４７】
このようにして、図１２から分かるように、四方を左右の扉支柱セグメント１６，１６と、上下の桁セグメント１７，１７に囲まれた扉枠取り付け用空間２０を形成する。
【００４８】
ついで、前記扉枠取り付け用空間２０に扉枠２２を取り付け、この扉枠２２に扉体２３，２３を開閉可能に組み付けることによって、図１１および図１２に示すように、二連形シールドトンネル１２の互いに隣接するトンネル１３，１３の軸方向の所定位置に、避難扉２１が完成する。
【００４９】
なお、図１１および図１２において、符号３９はインバートを示し、同４０は建築限界を示す。
【００５０】
以上により、避難扉として規定された断面の避難扉２１を容易に構築することができる。
【００５１】
また、この実施例によれば、上下の桁セグメント１７，１７から左右の扉支柱セグメント１６，１６へ土圧や水圧による鉛直荷重を伝達でき、かつ左右の扉支柱セグメント１６，１６により前記鉛直荷重を受け持つことが可能な剛性の大きい構造の避難扉２１を構築することができる。
【００５２】
さらに、この実施例によれば、大規模な支保工で仮受けした後、柱セグメントを撤去し、仕切り壁などを再構築する必要がないため、施工工数を少なくすることができるので、工期を短縮することができるほか、コストも大幅に削減することができる。
【００５３】
次に、図１３は地下鉄駅部のホームドア構築用のセグメントの一実施例を示すもので、そのセグメントの組み立て前の状態を示す斜視図である。
【００５４】
この図１３に示す実施例の地下鉄駅部のホームドア構築用のセグメントは、左右の扉支柱セグメント３１，３１と、上下の桁セグメント３２，３２とを備えている。
【００５５】
各扉支柱セグメント３１は、コンクリート製，鋼製，鋳鉄製またはこれらの合成とすることにより剛性が大きく、構築すべきホームドアに掛かる鉛直荷重を受け持たせ得る構造に形成されている。また、各扉支柱セグメント３１には隣接するセグメントと結合するためのセグメント継手３３と、リング継手３４とが設けられている。
【００５６】
各桁セグメント３２も、コンクリート製，鋼製，鋳鉄製またはこれらの合成とすることにより剛性が大きく、ホームドアに掛かる鉛直荷重を扉支柱セグメント３１に伝達し得る構造に形成されている。また、各桁セグメント３２にも隣接するセグメントと結合するためのセグメント継手３３と、リング継手３４とが設けられている。
【００５７】
ついで、図１４〜図１７は前記セグメントを用いて、三連形シールドトンネル間に地下鉄駅部のホームドアを構築する方法を示すもので、図１４は構築したホームドアの縦断正面図、図１５は図１４のＤ−Ｄ線縦断側面図、図１６は図１４のＥ−Ｅ矢視図、図１７は図１６のＦ−Ｆ線断面図である。
【００５８】
これらの図に示すホームドアの構築方法では、三連形シールド機（図示せず）により地山Ｇを掘削し、中央部のトンネル２５と、その両側のトンネル２６，２７とを有する三連形シールドトンネル２４を所要距離掘進する。
【００５９】
しかして、前記三連形シールドトンネル２４の中央部のトンネル２５をホーム用トンネルとし、ここにホーム２８を構築する。一方、三連形シールドトンネル２４の両側のトンネル２６，２７を鉄道用トンネルとする。また、前記三連形シールドトンネル２４内に外周セグメント２９および壁セグメント３０を搬入し、外周セグメント２９を三連形シールドトンネル２４の内部で組み立てかつ継手を介して結合して行き、壁セグメント３０をトンネル２５，２６間およびトンネル２５，２７間で組み立てかつ継手を介して結合して行く。
【００６０】
このようにして、三連形シールドトンネル２４を軸方向に、トンネル２５，２６間およびトンネル２５，２７間にホームドアを構築すべき距離掘進した後、三連形シールドトンネル２４内に扉支柱セグメント３１，３１、桁セグメント３２，３２、扉枠３７および扉体３８，３８等の資材を搬入する。
【００６１】
そして、トンネル２５，２６間およびトンネル２５，２７間のホームドアを構築すべき所定位置に、図１５〜図１７において右側の扉支柱セグメント３１を組み入れ、同扉支柱セグメント３１の上下部を、隣接するセグメントである外周セグメント２９にセグメント継手３３を介して結合する。
【００６２】
ついで、前記トンネル２５，２６間およびトンネル２５，２７間に、上下の桁セグメント３２，３２を組み入れ、上下の桁セグメント３２，３２間に支保材（図示せず）を設置し、図１５〜図１７において各桁セグメント３２の右側を、既に取り付けられている右側の扉支柱セグメント３１にリング継手３４を介して結合し、上部の桁セグメント３２は上部の外周セグメント２９に、また下部の桁セグメント３２は下部の外周セグメント２９に、それぞれセグメント継手３３を介して結合する。
【００６３】
続いて、トンネル２５，２６間およびトンネル２５，２７間に、図１５〜図１７において左側の扉支柱セグメント３１を組み入れ、同扉支柱セグメント３１の右側をそれぞれ既に取り付けられている上下の桁セグメント３２，３２にリング継手３４を介して結合し、同扉支柱セグメント３１の上下部を、当該外周セグメント２９にセグメント継手３３を介して結合する。
【００６４】
前述ごとく、上下の桁セグメント３２，３２に、図１５〜図１７において左側の扉支柱セグメント３１を結合した後、上下の桁セグメント３２，３２間に設置されている支保材を撤去する。
【００６５】
このようにして、図１５および図１６から分かるように、四方を左右の扉支柱セグメント３１，３１と、上下の桁セグメント３２，３２に囲まれた扉枠取り付け用空間３５を形成する。
【００６６】
ついで、前記扉枠取り付け用空間３５に扉枠３７を取り付け、この扉枠３７に扉体３８，３８を開閉可能に組み付けることによって、図１４〜図１６に示すように、三連形シールドトンネル２４の隣接するトンネル２５，２６およびトンネル２５，２７の軸方向の所定位置に、ホームドア３６が完成する。
【００６７】
なお、図１４および図１５において、符号３９はインバートを示し、同４０は建築限界を示す。
【００６８】
以上により、ホームドアとして規定された断面のホームドア３６を容易に構築することができる。
【００６９】
これら図１４〜図１７に示す実施例の他の作用，効果は、前記図１１および図１２に示す避難扉の構築方法について説明したところと同様である。
【００７０】
【発明の効果】
以上説明したように、本発明にかかる多連形トンネルの通路構築用のセグメントでは、構築すべき通路の鉛直荷重を受け持たせ得る構造に形成され，かつ隣接するセグメントと結合するための継手を有し，しかも構築すべき通路の左右に設置する通路支柱セグメントと、隣接するセグメントと結合するための継手を有し，かつ構築すべき通路の上下に設置する桁セグメントとを備えて構成しているので、セグメント自体の剛性を大きくなし得る効果があり、多連形トンネルの隣接するトンネル間の所定位置に通路を構築するに際して、簡単に取り付けて使用し得る効果もある。
【００７１】
また、本発明にかかる多連形トンネルの扉構築用のセグメントでは、構築すべき扉の鉛直荷重を受け持たせ得る構造に形成され，かつ隣接するセグメントと結合するための継手を有し，しかも構築すべき扉の扉枠取り付け用空間の左右に設置する扉支柱セグメントと、隣接するセグメントと結合するための継手を有し，かつ構築すべき扉の扉枠取り付け用空間の上下に設置する桁セグメントとを備えて構成しているので、セグメント自体の剛性を大きくなし得る効果があり、多連形トンネルの隣接するトンネル間の所定位置に扉枠取り付け用空間を構築するに際して、簡単に取り付けて使用し得る効果もある。
【００７２】
さらに、本発明にかかる多連形トンネルの通路の構築方法では、構築すべき通路の左右に、通路の鉛直荷重を受け持たせ得る構造に形成され，かつ隣接するセグメントと結合するための継手を有する通路支柱セグメントを設置するとともに、各通路支柱セグメントを前記継手を介して、隣接するセグメントに結合し、構築すべき通路の上下に、隣接するセグメントと結合するための継手を有する桁セグメントを設置するとともに、各桁セグメントを前記継手を介して、隣接するセグメントに結合し、左右の通路支柱セグメントと上下の桁セグメントとにより囲まれかつ左右の通路支柱セグメントに通路の鉛直荷重を受け持たせる構造の通路を構築するようにしており、従来使用されている柱セグメントに代わって、剛性の大きい通路支柱セグメントを用いているので、例えば避難通路として規定された断面の通路を容易に確保し得る効果があり、大規模な支保工で仮受けした後、柱セグメントを撤去し、仕切り壁などを再構築する必要がないため、施工工数を少なくすることができる結果、工期を短縮し得る効果があり、コストダウンを図り得る効果もある。
【００７３】
そして、本発明にかかる多連形トンネルの扉の構築方法では、扉の扉枠取り付け用空間を形成すべき位置の左右に、扉の鉛直荷重を受け持たせ得る構造に形成され，かつ隣接するセグメントと結合するための継手を有する扉支柱セグメントを設置するとともに、各扉支柱セグメントを前記継手を介して、隣接するセグメントに結合し、前記扉枠取り付け用空間を形成すべき位置の上下に、隣接するセグメントと結合するための継手を有する桁セグメントを設置するとともに、各桁セグメントを前記継手を介して、隣接するセグメントに結合し、左右の扉支柱セグメントと上下の桁セグメントとにより囲まれ，かつ左右の扉支柱セグメントに扉の鉛直荷重を受け持たせる構造の扉取り付け用空間を形成し、前記扉取り付け用空間に扉枠を取り付け、この扉枠に扉体を組み付けるようにしており、この発明においても剛性の大きい扉支柱セグメントを用いているので、例えば隣接するトンネル間の避難扉や地下鉄駅部のホームドアとして規定された断面の扉を容易に形成し得る効果があり、大規模な支保工で仮受けした後、柱セグメントを撤去し、仕切り壁などを再構築する必要がないため、施工工数を少なくすることができる結果、工期を短縮し得る効果があり、コストダウンを図り得る効果もある。
【図面の簡単な説明】
【図１】本発明にかかる通路構築用のセグメントの一実施例としての、避難通路構築用のセグメントの組み立て前の状態を示す斜視図である。
【図２】図１に示すセグメントを用いて、二連形シールドトンネル間に避難通路を構築する方法の一過程を示すもので、二連形シールドトンネルの掘進後、外周セグメントと柱セグメントを取り付けた状態を示す縦断正面図である。
【図３】図２のＡ−Ａ線縦断側面図である。
【図４】隣接するトンネル間の避難通路を構築すべき位置に、右側の通路支柱セグメントを取り付けた状態を示す縦断側面図である。
【図５】図４に続いて、支保材を介して上下の桁セグメントを取り付けた状態を示す縦断側面図である。
【図６】図５に続いて、右側の通路支柱セグメントを取り付けた状態を示す縦断側面図である。
【図７】図６に続いて、上下の桁セグメント間から支保材を撤去した状態を示す縦断側面図である。
【図８】本発明の構築方法により完成された避難通路の一実施例を示す縦断正面図である。
【図９】図８のＢ−Ｂ線縦断側面図である。
【図１０】本発明にかかる扉構築用のセグメントの一実施例としての、避難扉構築用のセグメントの組み立て前の状態を示す斜視図である。
【図１１】図１０に示すセグメントを用いて、二連形シールドトンネル間に避難扉を構築する方法を示すもので、構築した避難扉の縦断正面図である。
【図１２】図１１のＣ−Ｃ線縦断側面図である。
【図１３】本発明にかかる扉構築用のセグメントの一実施例としての、ホームドア構築用のセグメントの組み立て前の状態を示す斜視図である。
【図１４】図１３に示すセグメントを用いて、三連形シールドトンネル間に地下鉄駅部のホームドアを構築する方法を示すもので、構築したホームドアの縦断正面図である。
【図１５】図１４のＤ−Ｄ線縦断側面図である。
【図１６】図１４のＥ−Ｅ矢視図である。
【図１７】図１６のＦ−Ｆ線断面図である。
【図１８】二連形シールドトンネル間に避難通路や避難扉を構築する従来技術を示す縦断正面図である。
【図１９】図１８のＨ−Ｈ線縦断側面図である。
【図２０】三連形シールドトンネル間に地下鉄駅部のホームドアを構築する従来技術を示す縦断正面図である。
【図２１】図２０のＩ−Ｉ線縦断側面図である。
【符号の説明】
Ｇ    地山
２    二連形シールドトンネル
３，３  隣接するトンネル
４    外周セグメント
５    柱セグメント
６    通路支柱セグメント
７    桁セグメント
８    セグメント継手
９    リング継手
１１  避難通路
１２  二連形シールドトンネル
１３，１３  隣接するトンネル
１４  外周セグメント
１５  柱セグメント
１６  扉支柱セグメント
１７  桁セグメント
１８  セグメント継手
１９  リング継手
２０  扉枠取り付け用空間
２１  避難扉
２２  扉枠
２３  扉体
２４  三連形シールドトンネル
２５，２６，２７  トンネル
２８  ホーム
２９  外周セグメント
３０  壁セグメント
３１  扉支柱セグメント
３２  桁セグメント
３３  セグメント継手
３４  リング継手
３５  扉枠取り付け用空間
３６  ホームドア
３７  扉枠
３８  扉体
【図１】
0003781952.tif 000002
【図２】
0003781952.tif 000003
【図３】
0003781952.tif 000004
【図４】
0003781952.tif 000005
【図５】
0003781952.tif 000006
【図６】
0003781952.tif 000007
【図７】
0003781952.tif 000008
【図８】
0003781952.tif 000009
【図９】
0003781952.tif 000010
【図１０】
0003781952.tif 000011
【図１１】
0003781952.tif 000012
【図１２】
0003781952.tif 000013
【図１３】
0003781952.tif 000014
【図１４】
0003781952.tif 000015
【図１５】
0003781952.tif 000016
【図１６】
0003781952.tif 000017
【図１７】
0003781952.tif 000018
【図１８】
0003781952.tif 000019
【図１９】
0003781952.tif 000020
【図２０】
0003781952.tif 000021
【図２１】
0003781952.tif 000022